(57)【要約】【課題】  回転入力軸の直下の軌道上の障害を回避し得る一方、高い操作性で操作ロッドを操作することができる巻取機を提供する。【解決手段】  回転入力軸５は、ヒンジ部６で一方向へ揺動可能に支持してあり、これによって筐体２の両側方向へ揺動することが禁止され、ヒンジ部６が二つ折状態では、巻き取り・巻き戻し作業中であっても、回転入力軸５及び第２軸４２は互いに同心軸上の姿勢になっており、操作ロッド４９の重量により、当該操作ロッド４９及び回転入力軸５は鉛直方向の姿勢になっている。一方、ビニルハウスの正面近傍に障害が存在する場合、鉛直方向の操作ロッド４９をビニルハウスから離隔する方向へ傾斜させる。【選択図】図３
2006321655.tif 000002
【特許請求の範囲】
【請求項１】
回転駆動力が与えられる筒状の回転入力軸と、この回転入力軸と交わる方向へ配設され、巻取対象を巻き取る巻取軸が連結される回転出力軸と、前記回転入力軸に与えられた回転駆動力を前記回転出力軸に伝達する伝達手段とを備える巻取機において、
前記回転出力軸の長手方向であって、回転出力軸の巻取軸を連結させる端部から離隔する方向へ揺動し得るように前記回転入力軸を支持する支持手段を備え、
前記伝達手段は、前記回転出力軸の外周面に設けた第１傘歯車と、この第１傘歯車に噛合させた第２傘歯車と、第２傘歯車を回転させる回転軸とを具備し、
この回転軸の先端部は前記回転入力軸内に挿入してあり、当該先端部に回転軸の軸長方向へ長い貫通孔が開設してあり、この貫通孔内を前記軸長方向へ摺動可能に挿通させた連結ピンによって回転軸と回転入力軸とが連結してあることを特徴とする巻取機。
【請求項２】
前記支持手段は、前記回転軸の周囲の回転出力軸の前記端部とは反対側の位置に、回転軸の軸長方向と交わる方向へ配設した枢軸部と、この枢軸部に揺動自在に支持され、枢軸部の軸長方向と交わる方向へ長い長穴が設けてある環状の第１支持部とを具備しており、
この長孔に前記回転入力軸の一端部を内嵌させて、支持部によって回転入力軸を前記長孔の長手方向へ摺動自在に支持させてある請求項１記載の巻取機。
【請求項３】
前記支持手段は、前記回転軸の周囲の回転出力軸の前記端部とは反対側の位置に、回転軸の軸長方向と交わる方向へ配設した枢軸部と、この枢軸部に揺動自在に支持され、前記回転入力軸を支持する第１支持部と、前記枢軸部を支持する第２支持部と、この第２支持部を前記枢軸部の軸長方向と交わる方向へ摺動自在に支持する第３支持部とを具備する請求項１記載の巻取機。
【請求項４】
回転駆動力が与えられる筒状の回転入力軸と、この回転入力軸と交わる方向へ配設され、巻取対象を巻き取る巻取軸が連結される回転出力軸と、前記回転入力軸に与えられた回転駆動力を前記回転出力軸に伝達する伝達手段とを備える巻取機において、
前記回転出力軸の長手方向であって、回転出力軸の巻取軸を連結させる端部から離隔する方向へ揺動し得るように前記回転入力軸を支持する支持手段を備え、
前記伝達手段は、前記回転出力軸の外周面に設けた第１傘歯車と、この第１傘歯車に噛合させた第２傘歯車と、第２傘歯車を回転させる回転軸と、前記回転入力軸内に、当該回転入力軸の内周面との間に適宜の間隙が生じるように内嵌してあり、回転入力軸と前記回転軸との間を連絡する連絡軸とを具備し、前記回転軸の先端部及び連結軸の基端部は、互いに一方向へ揺動自在に遊嵌してあり、
前記回転入力軸は内部に、前記一方向とは異なる他方向へ延設した溝状の嵌合部を具備し、この嵌合部内に前記連絡軸の先端が前記他方向へ摺動自在であって、当該他方向へ揺動自在に遊嵌してある
ことを特徴とする巻取機。
【請求項５】
前記支持手段は、前記回転軸の周囲の回転出力軸の前記端部とは反対側の位置に、回転軸の軸長方向と交わる方向へ配設した枢軸部と、この枢軸部に揺動自在に支持され、前記回転入力軸を支持する板状の第１支持部と、前記枢軸部を支持する箱蓋状の第２支持部とを具備し、
前記第１支持部は第２支持部内に遊嵌してあり、前記枢軸部は第１支持部の前記第２支持部の天井に臨む部分に配設してある請求項４記載の巻取機。
【請求項６】
前記支持手段は、回転入力軸の揺動を適宜の位置で停止させるストッパを更に具備する請求項４又は５記載の巻取機。
【発明の詳細な説明】
【技術分野】
【０００１】
この発明は、シート状部材を巻き取るための巻取機に関する。
【背景技術】
【０００２】
農業用のビニルハウスでは、農作物その他、生育させる植物に応じてハウス内の温度や湿度を適切に調整するため、ビニルハウスの屋根部の適宜部分に換気用開口部を設けるとともに、この換気用開口部を開閉自在に被覆するシート材、及び該シート材を巻き取るための巻取機等を備えたハウス換気装置を設けている（例えば、特許文献１を参照。）。
【０００３】
図１３は、従来の巻取機の使用様態を説明する説明図であり、図中、１０１は蒲鉾状のビニルハウス１００の屋根部である。屋根部１０１は、複数のアーチ形状の屋根用パイプ１０２，１０２，…を、ビニルハウス１００の長手方向へ適宜の間隔を隔てて立設し、これら屋根用パイプ１０２，１０２，…の上をシート材で覆ってなり、屋根用パイプ１０２，１０２，…はビニルハウス１００の長手方向へ配設した複数条のパイプに連結固定してある。屋根部１０１の略中央領域には、ビニルハウス１００内を換気するための換気用開口部１０３が設けてあり、この換気用開口部１０３は、当該換気用開口部１０３より広い開閉用シート材１０５によって被覆し得るようにしてある。開閉用シート材１０５の上縁部は、換気用開口部１０３近傍のパイプに固定具（図示せず）を用いて固定してあり、開閉用シート材１０５の下縁部は、ビニルハウス１００の長手方向へ配した開閉用ロッド５０に固定具（図示せず）を用いて固定してある。
【０００４】
開閉用ロッド５０の一端側はビニルハウス１００の正面（妻面）から適宜長だけ延出させてあり、この開閉用ロッド５０の一端に、開閉用シート材１０５を巻き取る巻取機１１０が連結固定してある。
【０００５】
巻取機１１０は正面視が倒立滑車外縁形をなした立体殻形状の筐体１１２を備えており、筐体１１２の底面中央から、正逆方向の回転駆動力が与えられる回転入力軸１１５が、筐体１１２の底面と直交するように突出させてある。そして、回転入力軸１１５には、カップリング部１１８を介して操作ロッド４９が、回転入力軸１１５の中心軸周りに３６０°回動自在に連結してある。
【０００６】
このカップリング部１１８は、端寸円筒状のカップリング筒部材１１９を備えており、該カップリング筒部材１１９の内径は、前述した回転入力軸１１５の外径及び操作ロッド４９の外径より少し大きくしてある。カップリング筒部材１１９の一端近傍には回転入力軸１１５に連結するための第１ボルトが、カップリング筒部材１１９を直径方向へ貫通する様態で着脱可能に取付けてあり、カップリング筒部材１１９の他端近傍には操作ロッド４９を固定するための第２ボルトが、カップリング筒部材１１９の周方向の対向する位置に、両第２ボルトの脚部が周壁を貫通する様態で緊緩可能に螺着してある。
【０００７】
前述した回転入力軸１１５の先端近傍には、縦断面視が鼓形状をなし回転入力軸１１５を貫通する貫通孔が、回転入力軸１１５の中心軸と直交する方向へ開設してある。そして、第１ボルトを外した状態でカップリング筒部材１１９の一端を回転入力軸１１５の先端部に外嵌させた後、第１ボルトを回転入力軸１１５の貫通孔内を貫通させるようにカップリング筒部材１１９に取付けることによって、カップリング筒部材１１９が回転入力軸１１５に連結してある。このカップリング筒部材１１９の他端部に操作ロッド４９の先端部を内嵌させ、両第２ボルトを螺入させることによって、操作ロッド４９がカップリング筒部材１１９に連結してある。
【０００８】
このとき、回転入力軸１１５に開設した貫通孔は縦断面視が鼓形状をなしているため、カップリング筒部材１１９と回転入力軸１１５とを連結する第１ボルトの両端は、貫通孔の中央を支点に回転運動をし得、従ってカップリング筒部材１１９は、その中心軸が回転入力軸１１５の中心軸と交わる姿勢で、回転入力軸１１５の中心軸周りに３６０°回転し得るようになっている。
【０００９】
そして、操作ロッド４９からカップリング部１１８を介して縦軸たる回転入力軸１１５に与えられた回転駆動は、筐体１１２内に配設されたベベルギアを介して、回転入力軸１１５と直交する方向へ配設した横軸たる回転出力軸に伝えられるようになっている。
【００１０】
ところで、前述した回転入力軸１１５は二重筒構造になっており、両筒間内に配設したストッパ用バネ部材の作用によって、回転入力軸１１５に与えられた回転駆動は円筒状の回転出力軸に伝えられるが、回転出力軸に与えられる回転駆動は回転入力軸１１５に伝えられないようになっている。
【００１１】
一方、回転出力軸の先端部は、前述した筐体１１２の背面上部中央から、筐体１１２の背面と直交するように突出させてあり、回転出力軸の先端部に、前述した開閉用ロッド５０の一端部が内嵌固定してある。そして、巻取機１１０は、回転出力軸の回転駆動によって開閉用ロッド５０を正逆回転させることによって、開閉用ロッド５０及び巻取機１１０を屋根用パイプ１０２，１０２，…上で、ビニルハウス１００の長手方向と直交する方向へ移動させつつ、開閉用ロッド５０の周りに開閉用シート材１０５を巻き取り又は開閉用ロッドの周りから開閉用シート材１０５を巻き戻らせて、換気用開口部１０３を開閉していた。
【００１２】
ところで、回転入力軸１１５の先端に操作ロッド４９の先端を直接連結固定した場合、操作ロッド４９は回転入力軸１１５の直下以外の軌道を通ることができないため、当該軌道下に、例えば溝といった障害が存在すると、ユーザは、換気用開口部１０３を開閉するとき、前記障害を回避しつつ操作ロッド４９を操作しなければならず、開閉作業に困難を来たす。しかし、前述した如く回転入力軸１１５と操作ロッド４９とをカップリング部１１８を介して連結した場合、前記軌道下に障害が存在する場合であっても、ユーザは、カップリング部１１８によって操作ロッド４９をビニルハウス１００から離隔する方向へ傾斜させることによって、前記障害から離れた位置で操作ロッド４９を操作することができる。
【００１３】
【特許文献１】特開平８−１７２９３３号公報
【発明の開示】
【発明が解決しようとする課題】
【００１４】
しかしながら、このような従来の巻取機にあっては次のような問題があった。すなわち、巻取機１１０によって開閉用ロッド５０の周りに開閉用シート材１０５を巻き取らせた場合、この開閉用シート材１０５が巻き戻ろうとする力が開閉用ロッド５０を介して巻取機１１０に作用して、開閉用ロッド５０の中心軸周りに巻取機１１０が回転しようとするが、巻取機１１０に連結した操作ロッド４９が巻取機１１０の回転を阻止するように作用するため、巻取機１１０は、両作用が均衡する姿勢、つまり回転入力軸１１５の先端が鉛直方向からビニルハウス１００の幅方向の中央側へ適宜角度だけ回動した姿勢に保持される。
【００１５】
一方、操作ロッド４９はカップリング部１１８を介して巻取機１１０に連結してあるので、巻取機１１０の姿勢に拘らず、略鉛直方向の姿勢を保持している。従って、操作ロッド４９を回転操作する場合、操作ロッド４９の中心軸と回転入力軸１１５の中心軸とが交わった状態で行なわなければならないため、操作ロッド４９から回転入力軸１１５へ回転駆動力を円滑に伝えることが困難であり、操作ロッド４９を回転させる際の操作性が低い。
【００１６】
しかしながら、回転入力軸１１５の直下の軌道上に障害が存在する場合、これを回避し得ることも重要である。
【００１７】
本発明は斯かる事情に鑑みてなされたものであって、回転入力軸の直下の軌道上の障害を回避し得る一方、高い操作性で操作ロッドを操作することができる巻取機を提供する。
【課題を解決するための手段】
【００１８】
請求項１記載の本発明は、回転駆動力が与えられる筒状の回転入力軸と、この回転入力軸と交わる方向へ配設され、巻取対象を巻き取る巻取軸が連結される回転出力軸と、前記回転入力軸に与えられた回転駆動力を前記回転出力軸に伝達する伝達手段とを備える巻取機において、前記回転出力軸の長手方向であって、回転出力軸の巻取軸を連結させる端部から離隔する方向へ揺動し得るように前記回転入力軸を支持する支持手段を備え、前記伝達手段は、前記回転出力軸の外周面に設けた第１傘歯車と、この第１傘歯車に噛合させた第２傘歯車と、第２傘歯車を回転させる回転軸とを具備し、この回転軸の先端部は前記回転入力軸内に挿入してあり、当該先端部に回転軸の軸長方向へ長い貫通孔が開設してあり、この貫通孔内を前記軸長方向へ摺動可能に挿通させた連結ピンによって回転軸と回転入力軸とが連結してあることを特徴とする。
【００１９】
請求項２記載の本発明は、前記支持手段は、前記回転軸の周囲の回転出力軸の前記端部とは反対側の位置に、回転軸の軸長方向と交わる方向へ配設した枢軸部と、この枢軸部に揺動自在に支持され、枢軸部の軸長方向と交わる方向へ長い長穴が設けてある環状の第１支持部とを具備しており、この長孔に前記回転入力軸の一端部を内嵌させて、支持部によって回転入力軸を前記長孔の長手方向へ摺動自在に支持させてあることを特徴とする。
【００２０】
請求項３記載の本発明は、前記支持手段は、前記回転軸の周囲の回転出力軸の前記端部とは反対側の位置に、回転軸の軸長方向と交わる方向へ配設した枢軸部と、この枢軸部に揺動自在に支持され、前記回転入力軸を支持する第１支持部と、前記枢軸部を支持する第２支持部と、この第２支持部を前記枢軸部の軸長方向と交わる方向へ摺動自在に支持する第３支持部とを具備することを特徴とする。
【００２１】
請求項４記載の本発明は、回転駆動力が与えられる筒状の回転入力軸と、この回転入力軸と交わる方向へ配設され、巻取対象を巻き取る巻取軸が連結される回転出力軸と、前記回転入力軸に与えられた回転駆動力を前記回転出力軸に伝達する伝達手段とを備える巻取機において、前記回転出力軸の長手方向であって、回転出力軸の巻取軸を連結させる端部から離隔する方向へ揺動し得るように前記回転入力軸を支持する支持手段を備え、前記伝達手段は、前記回転出力軸の外周面に設けた第１傘歯車と、この第１傘歯車に噛合させた第２傘歯車と、第２傘歯車を回転させる回転軸と、前記回転入力軸内に、当該回転入力軸の内周面との間に適宜の間隙が生じるように内嵌してあり、回転入力軸と前記回転軸との間を連絡する連絡軸とを具備し、前記回転軸の先端部及び連結軸の基端部は、互いに一方向へ揺動自在に遊嵌してあり、前記回転入力軸は内部に、前記一方向とは異なる他方向へ延設した溝状の嵌合部を具備し、この嵌合部内に前記連絡軸の先端が前記他方向へ摺動自在であって、当該他方向へ揺動自在に遊嵌してあることを特徴とする。
【００２２】
請求項５記載の本発明は、前記支持手段は、前記回転軸の周囲の回転出力軸の前記端部とは反対側の位置に、回転軸の軸長方向と交わる方向へ配設した枢軸部と、この枢軸部に揺動自在に支持され、前記回転入力軸を支持する板状の第１支持部と、前記枢軸部を支持する箱蓋状の第２支持部とを具備し、前記第１支持部は第２支持部内に遊嵌してあり、前記枢軸部は第１支持部の前記第２支持部の天井に臨む部分に配設してあることを特徴とする。
【００２３】
請求項６記載の本発明は、前記支持手段は、回転入力軸の揺動を適宜の位置で停止させるストッパを更に具備することを特徴とする。
【発明の効果】
【００２４】
請求項１記載の本発明では、回転駆動力が与えられる筒状の回転入力軸と、この回転入力軸と交わる方向へ配設され、巻取対象を巻き取る巻取軸が連結される回転出力軸と、前記回転入力軸に与えられた回転駆動力を前記回転出力軸に伝達する伝達手段とを備える巻取機において、前記回転出力軸の長手方向であって、回転出力軸の巻取軸を連結させる端部から離隔する方向へ揺動し得るように前記回転入力軸を支持する支持手段を備え、前記伝達手段は、前記回転出力軸の外周面に設けた第１傘歯車と、この第１傘歯車に噛合させた第２傘歯車と、第２傘歯車を回転させる回転軸とを具備し、この回転軸の先端部は前記回転入力軸内に挿入してあり、当該先端部に回転軸の軸長方向へ長い貫通孔が開設してあり、この貫通孔内を前記軸長方向へ摺動可能に挿通させた連結ピンによって回転軸と回転入力軸とが連結してある。回転入力軸は支持部材によって、例えば、巻取機の裏面側に巻取軸を連結するようにした場合は巻取機の両側方へ揺動することが禁止されるため、高い操作性で操作ロッドを操作することができる。
【００２５】
一方、回転入力軸は支持部材によって、回転出力軸の巻取軸を連結させる端部から離隔する方向、例えば、巻取機の裏面側に巻取軸を連結するようにした場合は巻取機の正面側へ揺動し得るようになしてあるため、回転入力軸の直下の軌道上に障害が存在する場合、回転入力軸と伝達手段の回転軸とを連結する連結ピンを、回転軸に設けた貫通孔内を当該回転軸の軸長方向へ摺動させつつ、回転入力軸を巻取機の正面側へ揺動させることによって、前記障害を容易に回避することができる。
【００２６】
ところで、伝達手段は、回転出力軸の外周面に設けた第１傘歯車に第２傘歯車を噛合させ、この第２傘歯車を回転軸で回転させるようにしてあるため、構成が簡単であり、部品コスト及び組立てコストが廉価である。
【００２７】
請求項２記載の本発明では、前記支持手段は、前記回転軸の周囲の回転出力軸の前記端部とは反対側の位置に、回転軸の軸長方向と交わる方向へ配設した枢軸部と、この枢軸部に揺動自在に支持され、枢軸部の軸長方向と交わる方向へ長い長穴が設けてある環状の第１支持部とを具備しており、この長孔に前記回転入力軸の一端部を内嵌させて、支持部によって回転入力軸を前記長孔の長手方向へ摺動自在に支持させてあるため、筒状の回転入力軸の回転軸との連結部分の直径を可及的に小さくすることができ、当該部分のスリム化を図ることができ、回転入力軸を軽量化して、材料コストを低減することができる。更に、回転軸の先端が回転入力軸の内面に当接することが防止され、回転入力軸を揺動させた場合であっても、操作ロッドを操作する際に負荷が増大することが可及的に抑制される。
【００２８】
請求項３記載の本発明では、前記支持手段は、前記回転軸の周囲の回転出力軸の前記端部とは反対側の位置に、回転軸の軸長方向と交わる方向へ配設した枢軸部と、この枢軸部に揺動自在に支持され、前記回転入力軸を支持する第１支持部と、前記枢軸部を支持する第２支持部と、この第２支持部を前記枢軸部の軸長方向と交わる方向へ摺動自在に支持する第３支持部とを具備するため、筒状の回転入力軸の回転軸との連結部分の直径を可及的に小さくすることができ、当該部分のスリム化を図ることができ、回転入力軸を軽量化して、材料コストを低減することができる。更に、回転軸の先端が回転入力軸の内面に当接することが防止され、回転入力軸を揺動させた場合であっても、操作ロッドを操作する際に負荷が増大することが可及的に抑制される。
【００２９】
請求項４記載の本発明では、回転駆動力が与えられる筒状の回転入力軸と、この回転入力軸と交わる方向へ配設され、巻取対象を巻き取る巻取軸が連結される回転出力軸と、前記回転入力軸に与えられた回転駆動力を前記回転出力軸に伝達する伝達手段とを備える巻取機において、回転出力軸の長手方向であって、回転出力軸の巻取軸を連結させる端部から離隔する方向へ揺動し得るように前記回転入力軸を支持する支持手段を備え、前記伝達手段は、前記回転出力軸の外周面に設けた第１傘歯車と、この第１傘歯車に噛合させた第２傘歯車と、第２傘歯車を回転させる回転軸と、前記回転入力軸内に、当該回転入力軸の内周面との間に適宜の間隙が生じるように内嵌してあり、回転入力軸と前記回転軸との間を連絡する連絡軸とを具備し、前記回転軸の先端部及び連結軸の基端部は、互いに一方向へ揺動自在に遊嵌してあり、前記回転入力軸は内部に、前記一方向とは異なる他方向へ延設した溝状の嵌合部を具備し、この嵌合部内に前記連絡軸の先端が前記他方向へ摺動自在であって、当該他方向へ揺動自在に遊嵌してある。従って、前同様、回転入力軸は支持部材によって、例えば、巻取機の裏面側に巻取軸を連結するようにした場合は巻取機の両側方へ揺動することが禁止されるため、高い操作性で操作ロッドを操作することができる。
【００３０】
一方、回転入力軸は支持部材によって、回転出力軸の巻取軸を連結させる端部から離隔する方向、例えば、巻取機の裏面側に巻取軸を連結するようにした場合は巻取機の正面側へ揺動し得るようになしてあるため、回転入力軸の直下の軌道上に障害が存在する場合、回転入力軸と伝達手段の回転軸とを連結する連結ピンを、回転軸に設けた貫通孔内を当該回転軸の軸長方向へ摺動させつつ、回転入力軸を巻取機の正面側へ揺動させることによって、前記障害を容易に回避することができる。
【００３１】
ところで、伝達手段は、回転出力軸の外周面に設けた第１傘歯車に第２傘歯車を噛合させ、この第２傘歯車を回転軸で回転させるようにしてあるため、構成が簡単であり、部品コスト及び組立てコストが廉価である。
【００３２】
また、伝達手段は、回転入力軸内に、当該回転入力軸の内周面との間に所要の間隙が生じるように内嵌してあり、回転入力軸と前記回転軸との間を連絡する連絡軸とを具備し、回転軸の先端部及び連結軸の基端部は、互いに一方向へ揺動自在に遊嵌してあり、回転入力軸は内部に、前記一方向とは異なる他方向へ延設した溝状の嵌合部を具備し、この嵌合部内に前記連絡軸の先端が前記他方向へ摺動自在であって、当該他方向へ揺動自在に遊嵌してあるため、回転入力軸の回転角度に拘らず、支持部材によって回転入力軸を揺動させ、その状態で回転入力軸に与えた回転駆動力を伝達手段の連絡軸に与えることができる。
【００３３】
連絡軸及び回転入力軸は鋳造により製造することができ、連絡軸と回転軸、及び連絡軸と回転入力軸とは互いに遊嵌させてあるため、部品コスト及び組立てコストを更に低減することができる。
【００３４】
請求項５記載の本発明では、支持手段は、前記回転軸の周囲の回転出力軸の前記端部とは反対側の位置に、回転軸の軸長方向と交わる方向へ配設した枢軸部と、この枢軸部に揺動自在に支持され、前記回転入力軸を支持する板状の第１支持部と、前記枢軸部を支持する箱蓋状の第２支持部とを具備し、前記第１支持部は第２支持部内に遊嵌してあり、枢軸部は第１支持部の前記第２支持部の天井に臨む部分に配設してあるため、枢軸部、回転入力軸の端部及びこの回転入力軸の端部に内嵌した連絡部が第２支持部材によって覆われ、内部へ雨水等が浸入することが防止される。
【００３５】
請求項６記載の本発明で、支持手段は、回転入力軸の揺動を適宜の位置で停止させるストッパを更に具備するため、第１支持部材に過剰な負担をかけずに、第１支持部材及び回転入力軸の揺動を停止させることができる。
【発明を実施するための最良の形態】
【００３６】
本発明に係る巻取機は、回転駆動力が与えられる筒状の回転入力軸と、この回転入力軸と交わる方向へ配設され、巻取対象を巻き取る巻取軸が連結される回転出力軸と、前記回転入力軸に与えられた回転駆動力を前記回転出力軸に伝達する伝達手段とを備えており、更に、回転出力軸の長手方向であって、回転出力軸の巻取軸を連結させる端部から離隔する方向へ揺動し得るように前記回転入力軸を支持する支持手段を備えている。また、前述した伝達手段は、前記回転出力軸の外周面に設けた第１傘歯車と、この第１傘歯車に噛合させた第２傘歯車と、第２傘歯車を回転させる回転軸とを具備している。そして、この回転軸の先端部は前記回転入力軸内に挿入してあり、当該先端部に回転軸の軸長方向へ長い貫通孔が開設してあり、この貫通孔内を前記軸長方向へ摺動可能に挿通させた連結ピンによって回転軸と回転入力軸が連結してある。
【００３７】
この支持手段は、回転軸の周囲の回転出力軸の前記端部とは反対側の位置に、回転軸の軸長方向と交わる方向へ配設した枢軸部と、この枢軸部に揺動自在に支持され、枢軸部の軸長方向と交わる方向へ長い長穴が設けてある環状の第１支持部とを具備しており、この長孔に前記回転入力軸の一端部を内嵌させて、支持部によって回転入力軸を前記長孔の長手方向へ摺動自在に支持させてある。
【００３８】
一方、支持手段は、回転軸の周囲の回転出力軸の前記端部とは反対側の位置に、回転軸の軸長方向と交わる方向へ配設した枢軸部と、この枢軸部に揺動自在に支持され、前記回転入力軸を支持する第１支持部と、前記枢軸部を支持する第２支持部と、この第２支持部を前記枢軸部の軸長方向と交わる方向へ摺動自在に支持する第３支持部とを具備して構成してもよい。
【００３９】
また、回転駆動力が与えられる筒状の回転入力軸と、この回転入力軸と交わる方向へ配設され、巻取対象を巻き取る巻取軸が連結される回転出力軸と、前記回転入力軸に与えられた回転駆動力を前記回転出力軸に伝達する伝達手段と、前記回転出力軸の長手方向であって、回転出力軸の巻取軸を連結させる端部から離隔する方向へ揺動し得るように前記回転入力軸を支持する支持手段を備え、前記伝達手段は、前記回転出力軸の外周面に設けた第１傘歯車と、この第１傘歯車に噛合させた第２傘歯車と、第２傘歯車を回転させる回転軸と、前記回転入力軸内に、当該回転入力軸の内周面との間に所要の間隙が生じるように内嵌してあり、回転入力軸と前記回転軸との間を連絡する連絡軸とを具備し、前記回転軸の先端部及び連結軸の基端部は、互いに一方向へ揺動自在に遊嵌してあり、前記回転入力軸は内部に、前記一方向とは異なる他方向へ延設した溝状の嵌合部を具備し、この嵌合部内に前記連絡軸の先端が前記他方向へ摺動自在であって、当該他方向へ揺動自在に遊嵌してある。
【００４０】
この支持手段は、前記回転軸の周囲の回転出力軸の前記端部とは反対側の位置に、回転軸の軸長方向と交わる方向へ配設した枢軸部と、この枢軸部に揺動自在に支持され、前記回転入力軸を支持する板状の第１支持部と、前記枢軸部を支持する箱蓋状の第２支持部とを具備し、前記第１支持部は第２支持部内に遊嵌してあり、前記枢軸部は第１支持部の前記第２支持部の天井に臨む部分に配設してある。
【００４１】
一方、支持手段は、回転入力軸の揺動を適宜の位置で停止させるストッパを更に具備してもよい。
【００４２】
以下、本発明の一実施例について、図面を参照して詳細に説明する。
（実施例１）
【００４３】
図５は、実施例１に係る巻取機の使用様態を説明する説明図であり、図中、１０１は蒲鉾状のビニルハウス１００の屋根部である。屋根部１０１は、複数のアーチ形状の屋根用パイプ１０２（１０２，…）を、ビニルハウス１００の長手方向へ適宜の間隔を隔てて立設し、これら屋根用パイプ１０２（１０２，…）の上をシート材で覆ってなり、屋根用パイプ１０２（１０２，…）はビニルハウス１００の長手方向へ配設した複数条のパイプに連結固定してある。屋根部１０１の適宜部分には、後述する換気用開口部が設けてあり、この換気用開口部は、当該換気用開口部より広い開閉用シート材１０５によって被覆してある。開閉用シート材１０５の上縁部は、換気用開口部近傍のパイプに固定具を用いて固定してあり、開閉用シート材１０５の下縁部は、ビニルハウス１００の長手方向へ配した開閉用ロッドに固定具（共に図示せず）を用いて固定してある。
【００４４】
開閉用ロッドの一端側はビニルハウス１００の正面（妻面）から適宜長だけ延出させてあり、この開閉用ロッドの一端は、開閉用シート材１０５を巻き取る巻取機１の筐体２の背面に開設した孔にその一端を嵌合させた筒状の回転出力軸に挿嵌固定してある。巻取機１には、回転出力軸に回転駆動力を伝える回転入力軸５が設けてある。この回転入力軸５の先端部は筐体２の底部から突出させてあり、該回転入力軸５の先端には操作ロッド４９の先端が着脱可能に連結してある。そして、ユーザが操作ロッド４９を正逆回転すると、これに連結した巻取機１の回転入力軸５の回転駆動力は回転出力軸７に伝えられ、回転出力軸７の回転駆動によって開閉用ロッドが正逆回転されて、開閉用ロッド及び巻取機１が、屋根用パイプ１０２，１０２，…上でビニルハウス１００の長手方向と直交する方向へ移動しつつ、開閉用ロッドに開閉用シート材１０５を巻き取らせ又は開閉用ロッドから開閉用シート材１０５を巻き戻らさせ、換気用開口部を開閉する。
【００４５】
図１は、本発明の一例を示す巻取機の外観斜視図であり、図中、２は後述する巻取機本体を内蔵する樹脂製の筐体である。筐体２は、正面視が縦断バルーン形をなした厚板殻形状をなしており、筐体２の正裏面であって筐体２の円弧状縁部に臨む部分の幅方向の中央位置には、筐体２の正裏面を貫通する貫通孔がそれぞれ開設してある。両貫通孔内には、回転出力軸７の両端部がそれぞれ嵌合させてあり、この回転出力軸７内に開閉用ロッド５０の一端部が、筐体２の裏面側から挿入してある。
【００４６】
また、筐体２の底部には、筒状の回転入力軸５が前記回転出力軸７と直交する姿勢で垂下してあり、回転入力軸５はヒンジ部６によって回転出力軸７の開閉用ロッド５０が挿入された側の端部から離隔する方向へ揺動可能に、筐体２内の巻取機本体に連結してある。回転入力軸５の先端部には周面に固定用螺子５３（５３）を螺着させた第１リング５１が外嵌してあり、回転入力軸５に内嵌させた操作ロッド４９の先端部を内嵌させ、固定用螺子５３（５３）を回転入力軸５内へ螺入させることによって操作ロッド４９を連結固定するようにしてある。
【００４７】
図２は図１に示した巻取機の内部構成を示す斜視図であり、図３は図１に示した巻取機の側断面図である。なお、両図中、図１に示した部分に対応する部分には同じ番号を付してある。両図に示した如く、巻取機本体３は、正面視が略矩形Ｕ字状の基台３３を備えており、基台３３の両側部３４，３４にそれぞれ矩形状の切欠きを設けて基台３３を軽量にしてある。そして、基台３３の正裏面側縁部にはそれぞれ側壁部３６，３６の一端部が、基台３３の底部３５から僅かに距離を隔てて内嵌固定してある。
【００４８】
両側壁部３６，３６の他端部間には前述した回転出力軸７が、両側壁部３６，３６を貫通する様態で回転自在に架設してあり、回転出力軸７の一側壁部３６の内面に対向する位置の外周面には第１傘歯車３１が、回転出力軸７の中心軸と同心状に一体成形してある。
【００４９】
この回転出力軸７の先端部には、固定螺子７３（７３）を螺着した第２リング７２が外嵌してあり、回転出力軸７内に開閉用ロッド５０の一端部を挿入し、固定螺子７３（７３）を回転出力軸７内へ螺入することによって、開閉用ロッド５０が回転出力軸７に連結固定してある。
【００５０】
一方、両側壁部３６，３６間には板状の中間部材３８が、第１傘歯車３１の外周縁から基台３３の底部３５側へ適宜距離を隔てて、当該底部３５と平行に架設してあり、中間部材３８の中央上には、第１傘歯車３１に噛合させた円錐台筒形の第２傘歯車３２が正逆回転可能に配設してある。基台３３の底部３５と中間部材３８との間には、回転入力軸５に与えられた回転力を第２傘歯車３２に伝えるが、第２傘歯車３２に加えられた回転力は回転入力軸５には伝えない、所謂一方向クラッチ４３を内蔵する中間軸４０が、第２傘歯車３２の中心軸と同軸上に介装してある。
【００５１】
この中間軸４０の一端から第１軸４１が突出させてあり、第１軸４１は中間部材３８を貫通して第２傘歯車３２に内嵌させ、当該第２傘歯車３２を回転可能に支持させてある。一方、中間軸４０の他端からは第２軸４２が突出させてある。
【００５２】
ところで、ヒンジ部６は、前記基台３３の底部３５より広い面積を有する矩形状の第１及び第２支持部６１，６２の一側縁を枢軸部６３で回動自在に軸支してなり、枢軸部６３を筐体２の正面側に配して、第２支持部６２の外面が前記基台３３の底部３５裏面に当接するように固定してある。この基台３３及び第２支持部６２の固定部分は、前述した筐体２で覆ってある。そして、前記第２軸４２は、基台３３の底部３５、第２支持部６２、筐体２、及び第１支持部６１を貫通して、２つ折り状態のヒンジ部６の第１支持部６１から適宜寸法だけ突出させてある。この第２軸４２の先端部に、当該第２軸４２を貫通し、第２軸４２の軸長方向へ長い貫通孔４４が開設してある。
【００５３】
一方、第１支持部６１の略中央には、枢軸部６３の軸長方向と直交する方向へ長い長孔６４が開設してあり、該長孔６４には回転入力軸５のヘッド部５４が回転自在に貫通させてある。
【００５４】
ヘッド部５４の内径は、回転入力軸５の他の部分の内径より大きくしてあり、ヘッド部５４の外径は、前記長孔６４の短径より僅かに小さくしてある。ヘッド部５４の開口端部近傍の部分の肉厚寸法は、ヘッド部５４の他の部分の肉厚寸法より大きくしてあり、この厚肉部５５の外径は、前記長孔６４の短径より大きくしてある。また、ヘッド部５４の外周面であって前記厚肉部５５から適宜距離を隔てた位置には、環状のストッパ部材５６が外嵌固定してあり、このストッパ部材５６と前記厚肉部５５との間に長孔６４を位置させて、ヘッド部５４が長孔６４から抜出するのを防止してある。
【００５５】
また、ヘッド部５４の内径は、第２軸４２の外径より適宜寸法だけ大きくしてあり、このヘッド部５４内に前記第２軸４２の先端部が挿入してある。前述したヘッド部５４の厚肉部５５の周面には、棒状の連結ピン８の両端をそれぞれ内嵌させる嵌合孔が、周方向へ１８０°位置を異ならせて対向開設してあり、第２軸４２の貫通孔４４内を第２軸４２の軸長方向へ摺動自在に挿通させた連結ピン８の両端を前記両嵌合孔に内嵌させることによって、回転入力軸５と第２軸４２とが連結してある。
【００５６】
これによって、操作ロッド４９を操作して回転入力軸５に与えられた正逆回転力が第２軸４２、第１軸４１、第２傘歯車３２、第１傘歯車３１、及び回転出力軸７に伝えられ、回転出力軸７に連結された開閉用ロッド５０が正逆回転される。一方、開閉用ロッド５０には巻き戻り力が加えられるが、一方向クラッチ４３の作用により前述した如く第２軸４２及び回転入力軸５には伝えられない。
【００５７】
ところで、回転入力軸５は前述した如くヒンジ部６で巻取機本体３の基台３３に連結してある一方、連結ピン８が第２軸４２の貫通孔４４内を第２軸４２の軸長方向へ摺動自在に挿通させてあるため、回転入力軸５は筐体２の正面側へ、連結ピン８が第２軸４２の貫通孔４４の基端側に当接するまで揺動させることができる。
【００５８】
一方、回転入力軸５は、ヒンジ部６で前述したように一方向へ揺動可能に支持されているため、筐体２の両側方向へ揺動することが禁止され、ヒンジ部６が二つ折状態では、巻き上げ・巻き戻し作業中であっても、回転入力軸５及び第２軸４２は互いに同軸上の姿勢になっており、この回転入力軸５に連結した操作ロッド４９を高い操作性で操作することができる。
【００５９】
ところで、前述したヘッド部５４の直径は可及的に小さくしてあり、そのため回転入力軸５を揺動させた場合、連結ピン８が第２軸４２の貫通孔４４の基端側に当接する前に、第２軸４２の先端がヘッド部５４の内面に当接してしまう場合がある。
【００６０】
図４は、図３に示した巻取機のＩＶ−ＩＶ線による断面図であり、第１支持部６１の長孔６４とヘッド部５４とを示している。なお、図中、図３に示した部分に対応する部分には同じ番号を付してある。図４に示した如く、第１支持部６１の長孔６４はその長軸が、ヒンジ部６の枢軸部６３の軸長方向と直交する方向にしてあり、ヘッド部５４は長孔６４の長軸方向へ所要寸法以上、摺動し得るようになっている。
【００６１】
従って、回転入力軸５を揺動させて、連結ピン８が第２軸４２の貫通孔４４の基端側に当接する前に、第２軸４２の先端がヘッド部５４の内面に当接する場合、ヘッド部５４を枢軸部６３から離隔する方向へ摺動させて、連結ピン８が第２軸４２の貫通孔４４の基端側に当接するまで回転入力軸５を揺動させることができる。これによって、第２軸４２の先端がヘッド部５４の内面に当接することが防止され、回転入力軸５を揺動させた場合であっても、操作ロッド４９を操作する際に負荷が増大することを可及的に抑制している。
【００６２】
一方、強度を要するヘッド部５４の直径を可及的に小さくしてスリム化することができるので、ヘッド部５４を軽量化することができ、材料コストを低減することができる。
【００６３】
図６は、図１及び図２に示した巻取機を配設したビニルハウスの模式的部分側面図である。なお、図中、図１から図３の各図に示した部分に対応する部分には同じ番号が付してある。
【００６４】
図６に示した如く、ビニルハウス１００の屋根部１０１に設けた換気用開口部１０３を開閉する開閉用シート材１０５の下縁部は開閉用ロッド５０に固定してあり、開閉用ロッド５０のビニルハウス１００正面から突出した端部を、巻取機１の背面から突出した回転出力軸７内に挿入し、回転出力軸７に外嵌した第２リング７２の固定螺子を回転出力軸７内へ螺入させることによって、開閉用ロッド５０が回転出力軸７に同軸上に連結固定してある。また、筐体２の底部に配設した回転入力軸５には、操作ロッド４９の先端が前述した開閉用ロッド５０と同様に連結固定してある。
【００６５】
巻取機１は、前述した如く、操作ロッド４９を介して回転入力軸５が正逆回転されると、この回転駆動力が回転出力軸７に伝えられ、回転出力軸７の回転駆動によって開閉用ロッド５０が正逆回転されて、開閉用ロッド５０及び巻取機１が、屋根用パイプ１０２，１０２，…上でビニルハウス１００の長手方向と直交する方向へ移動しつつ、開閉用ロッド５０に開閉用シート材１０５を巻き取らせ又は開閉用ロッド５０から開閉用シート材１０５を巻き戻させて、換気用開口部１０３を開閉する。
【００６６】
このとき、回転入力軸５は、ヒンジ部６で一方向へ揺動可能に支持されているため、筐体２の両側方向へ揺動することが禁止され、ヒンジ部６が二つ折状態では、巻き取り・巻き戻し作業中であっても、回転入力軸５及び第２軸４２（図３参照）は互いに同心軸上の姿勢になっており、操作ロッド４９の重量により、当該操作ロッド４９及び回転入力軸５は鉛直方向の姿勢になっている。従って、操作ロッド４９を高い操作性でスムーズに操作することができる。
【００６７】
一方、ビニルハウス１００の正面近傍に、例えば側溝いった障害が存在する場合、鉛直方向の操作ロッド４９をビニルハウス１００から離隔する方向へ傾斜させることによって、前記障害から離れた位置で操作ロッド４９を操作することができる。
【００６８】
なお、本実施例では、巻取機を換気用開口を開閉する開閉用シート材に適用した場合について説明したが、本発明はこれに限らず、シート材からなる内張りカーテンの開閉、遮光シート、カーテン用シートまたは防虫用シート等の展張、開口部の開閉用に適用し得ることはいうまでもない。
【００６９】
また、本実施例では、ビニルハウス１００の屋根部１０１に設けた換気用開口部１０３を開閉する開閉用シート材１０５の巻取りに適用した場合について説明したが、本発明はこれに限らず、ビニルハウス１００の屋根部１０１から側部にわたる肩部に設けた換気用開口を開閉する開閉用シート材、及びビニルハウス１００の側部の高所領域に設けた換気用開口を開閉する開閉用シート材の巻取りにも適用し得ることはいうまでもない。
（実施例２）
【００７０】
図７は、実施例２に係る巻取機の要部構成を示す部分斜視図であり、ヒンジ部を摺動し得るようにしてある。なお、図中、図２に示した部分に対応する部分には同じ番号を付してその説明を省略する。
【００７１】
図７に示した如く、ヒンジ部６の第１支持部６１には、前述した長孔６４（図４参照）に代えて、回転入力軸５のヘッド部５４の外径より僅かに大きい内径の丸孔が開設してあり、回転入力軸５は、ヘッド部５４を第１支持部６１の丸孔に内嵌させて前述した如くストッパ部材５６を外嵌固定することによって、回転自在に第１支持部６１に支持されている。
【００７２】
一方、ヒンジ部６の第２支持部６２は羽子板形状をなしており、この第２支持部６２の本体６６の長さ寸法は、基台３３の底部３５の長さ寸法より所要寸法だけ長い寸法に、また本体６６の幅寸法は、前記底部３５の幅寸法より少し大きい寸法にしてある。本体６６の両側縁であって、長さ方向の両端近傍の部分を除く中間部分には、帯状の切欠き６７，６７が設けてあり、本体６６の両切欠き６７，６７の間の幅寸法は、前記底部３５の幅寸法より少し小さく、両切欠き６７，６７の間の長さ寸法は基台３３の側部３４，３４の幅寸法より所定長さだけ長くしてある。また、本体６６の略中央には、枢軸部６３の軸長方向と直交する方向へ長い長孔６８が開設してあり、長孔６８の短径は前述した第２軸４２（図３参照）の外径より僅かに大きくしてある。
【００７３】
第２支持部６２は、基台３３の底部３５と前記両側壁部３６，３６との間の間隙内に、前述した両切欠き６７，６７を基台３３の両側部３４，３４に遊嵌させて、基台３３の長さ方向へ摺動自在に支持されており、従って、基台３３の底部３５及び両側壁部３６，３６はヒンジ部６を介して回転入力軸５を支持する第３支持部６９として機能している。
【００７４】
このような巻取機にあっては、前同様、回転入力軸５は、ヒンジ部６で一方向へ揺動可能に支持されているため、巻取機の両側方向へ揺動することが禁止され、ヒンジ部６が二つ折状態では、巻き取り・巻き戻し作業中であっても、回転入力軸５及び第２軸４２（図３参照）は互いに同心軸上の姿勢になっており、操作ロッド４９の重量により、当該操作ロッド４９及び回転入力軸５は鉛直方向の姿勢に保持され、操作ロッド４９を高い操作性でスムーズに操作することができる。
【００７５】
一方、ビニルハウスの正面近傍に、例えば側溝いった障害が存在する場合、鉛直方向の操作ロッド４９をビニルハウスから離隔する方向へ傾斜させることによって、前記障害から離れた位置で操作ロッド４９を操作することができる。
【００７６】
このとき、回転入力軸５を揺動させて、連結ピン８が第２軸４２の貫通孔４４（いずれも図３参照）の基端側に当接する前に、第２軸４２の先端がヘッド部５４の内面に当接する場合、第２支持部６２を摺動させることによって、前同様、ヘッド部５４を枢軸部６３から離隔させ、連結ピン８が第２軸４２の貫通孔の基端側に当接するまで回転入力軸５を揺動させることができる。これによって、第２軸４２の先端がヘッド部５４の内面に当接することが防止され、回転入力軸５を揺動させた場合であっても、操作ロッド４９を操作する際に負荷が増大することを可及的に抑制している。
【００７７】
一方、強度を要するヘッド部５４の直径を可及的に小さくしてスリム化することができるので、ヘッド部５４を軽量化することができ、材料コストを低減することができる。
【００７８】
なお、本実施例では、第２支持部６２を摺動自在に支持することによって、ヒンジ部を摺動し得るようにした場合について説明したが、本発明はこれに限らず、例えば、枢軸部６３を摺動自在に支持する構造にしてもよい。
（実施例３）
【００７９】
図８は、実施例３に係る巻取機の内部構造を示す斜視図であり、前述した中間軸と回転入力軸との連結構造をより簡単にしてある。また、図９は、図８に示した巻取機の側断面図であり、図中、６ａはヒンジ部である。図１０は、図８に示した巻取機の側断面図であり、ヒンジ部６ａが開いた状態を示している。また、図１１は、図９に示した巻取機のＸ−Ｘ線による断面図であり、図１２は、図９に示した巻取機のＸＩ−ＸＩ線による断面図である。なお、これら図８〜図１２中、図１〜図４に示した部分に対応する部分には同じ番号を付してその説明を省略する。
【００８０】
図８〜図１２に示した如く、ヒンジ部６ａは、有天無底の箱蓋状の第２支持部６２ａの底部開口内に、平面視が当該底部開口と略同じ形状の第１支持部６１ａを、揺動自在に遊嵌支持して構成してある。すなわち、第２支持部６２ａは、矩形の天井部６２１の周縁に枠状の袴部６２２を垂下してなり、袴部６２２の前記回転出力軸７の端部とは反対側の角部は、その深さを外側に位置するに従って浅くしてテーパ状に成形してある。この天井部６２１の中央には開口６２３が開設してあり、この開口６２３内を、前述した第２軸４２の中間部が挿通させてある。
【００８１】
この、第２軸４２の先端部には、適宜厚さの帯板体の両角部を円弧状に成形して、後述する連絡軸４５に設けられた溝状の凹部４５ａに遊嵌させる凸部４２ａが設けてあり、この凸部４２ａを連絡軸４５の凹部４５ａ内に遊嵌させて、連絡軸４５が第２軸４２に凹部４５ａの溝長方向へ揺動自在である一方、凸部４２及び凹部４５ａが係合して、連絡軸４５に与えられた回転駆動力によって第２軸４２が回転されるように連結されている。
【００８２】
一方、第１支持部６１ａは、板状部材の略中央に開口６１２を開設してなり、この開口６１２内を、回転入力軸５の一端部が貫通している。回転入力軸５は、円筒の一端に外側へ肉厚を大きくしたリム部５６ａが設けてあり、第１支持部６１ａの開口６１２に回転入力軸５を挿通させた場合、前記リム部５６ａが第１支持部６１ａの開口６１２の周囲に当接して、回転入力軸５が第１支持部６１ａに垂下支持されている。
【００８３】
ところで、回転入力軸５の軸長方向の中途位置には、円筒の内側へ肉厚を大きくした中間厚肉部５９が設けてあり、中間厚肉部５９の中央部の径方向には、平面視が略長方形溝状に開設した嵌合部５９ａが設けてある。
【００８４】
前述した連絡部４５は、円柱体の基端に側面視が矩形Ｕ字溝状の凹部４５ａを直径方向の全領域に亘って設けてなり、前記円柱体の先端には台形板状の嵌入部４５ｂが、その下底を円柱体の端面中央の位置に立設してある。そして、回転入力軸５内に装入された連絡部４５は、この嵌入部４５ｂを回転入力軸５の嵌合部５９ａ内に遊嵌してあり、これによって、連絡部４５は、嵌合部５９ａの長手方向へ摺動自在及び揺動自在である一方、嵌入部４５ｂ及び嵌合部５９ａが係合して、回転入力軸５に与えられた回転駆動力によって回転されるように連結されている。
【００８５】
ここで、回転入力軸５の前記リム部５６ａ側の端から中間肉厚部５９までの寸法は、連絡部４５の円柱体の長さ寸法と略同じにしてあり、連絡部４５の外径は回転入力軸５の内径より小さくして、連絡部４５外周面と回転入力軸５の内周面との間に適宜の間隙が形成してある。従って、回転入力軸５内に装入された連絡部４５は、回転入力軸５によって回転入力軸５の直径方向へ摺動自在及び揺動自在に支持されている。
【００８６】
前述した連絡部４５の前記凹部４５ａは、連絡部４５の嵌入部４５ｂが回転入力軸５の嵌合部５９ａ内に遊嵌された場合、当該嵌合部５９ａの長手方向と直交する方向になるようにしてあり、これによって、回転入力軸５の回転角度に拘らず、第１支持部６１ａによって回転入力軸５を一方向へ揺動させ、その状態で、回転入力軸５に与えられた回転駆動力を連絡部４５及び第２軸４２へ伝えることができる。
【００８７】
ところで、第１支持部６１ａの前記回転出力軸７の開閉用ロッド５０連結側端部と反対側の縁部から適宜の距離を隔てた位置には、枢軸部６３ａを構成する筒状の軸受部６３１が当該縁部と平行に突設してあり、軸受部６３１内には支持軸６３２がその両端を軸受部６３１から突出させた様態で挿入してある。また、第１支持部６１ａの前記第２支持部６２ａの天井部６２１に対向する側であって、前記開口６１２の周囲には、前記回転出力軸５の連結端部とは反対側の部分が開放したコ字状の凸部６１１が立設してあり、この凸部６１１及び前記軸受部６３１によって、回転入力軸５のリム部５６ａを囲繞して、当該リム部５６ａがその中心軸からずれないようにしてある。
【００８８】
また、第２支持部６２ａの袴部６２２であって前記支持軸６３２の両端に対向する位置には、貫通孔が開設してあり、支持軸６３２の両端部を両貫通孔から外へ貫通させてナットをそれぞれ螺着することによって、第１支持部６１ａが第２支持部６２ａに、当該第１支持部６１ａが回転出力軸７の連結側端部から離隔する方向へ揺動自在に支持されている。
【００８９】
一方、第２支持部６２ａの前記回転入力軸５側の縁近傍の位置には、前記支持軸６３２周りに揺動された第１支持部６１ａの縁部が当接する矩形Ｕ字状のストッパ６０が、第２支持部６２ａの袴部６２２の下縁から適宜距離を隔てた位置まで垂下してあり、当該ストッパ６０の両端部は、第２支持部６２ａの袴部６２２に螺子止してある。
【００９０】
このような巻取機にあっては、前同様、回転入力軸５は、ヒンジ部６ａで回転入力軸７から離隔する一方向へ揺動可能に支持されているため、巻取機の両側方向へ揺動することが禁止され、ヒンジ部６ａが二つ折状態では、巻き取り・巻き戻し作業中であっても、回転入力軸５及び第２軸４２は互いに同心軸上の姿勢になっており、操作ロッド４９の重量により、当該操作ロッド４９及び回転入力軸５は鉛直方向の姿勢に保持され、操作ロッド４９を高い操作性でスムーズに操作することができる。
【００９１】
一方、ビニルハウスの正面近傍に、例えば側溝いった障害が存在する場合、鉛直方向の操作ロッド４９をビニルハウスから離隔する方向へ傾斜させることによって、前記障害から離れた位置で操作ロッド４９を操作することができる。
【００９２】
このとき、回転入力軸５内に装入された連絡部４５が、回転入力軸５によって回転入力軸５の直径方向へ摺動自在及び揺動自在に支持されており、連絡部４５の摺動方向と直交する方向に配した連絡部４５の凹部４５ａに第２軸４２の凸部４２ａが揺動自在に遊嵌してあるため、回転入力軸５を揺動させた場合であっても、操作ロッド４９を操作する際に負荷が増大することを可及的に抑制している。
【００９３】
一方、回転入力軸５並びに連絡部４５及び第２軸４２の構造が比較的簡単であるので、各部品の製造に要するコストが低いのに加え、組立てが容易である。
【００９４】
また、箱蓋状の第２支持部４２ａによって、第１支持部４１ａ、枢軸部６３ａ、回転入力軸５のリム部５６ａ、第２軸４２、及び連絡部４５が覆われているため、これらの内部に雨水又は埃等が浸入することが防止される。
【００９５】
また、支持軸６３２周りに揺動された第１支持部６１ａは、その縁部がストッパ６０に当接して停止するため、第１支持部６１ａの揺動を適宜の開度範囲内に容易に制限することができる一方、枢軸部６３ａ及び第１支持部６１ａの枢軸部６３ａ近傍の縁部等に過剰な負荷がかからず、機械的な寿命が延長される。
【図面の簡単な説明】
【００９６】
【図１】本発明の一例を示す巻取機の外嵌斜視図である。
【図２】図１に示した巻取機の内部構造を示す斜視図である。
【図３】図１に示した巻取機の側断面図である。
【図４】図３に示した巻取機のＩＶ−ＩＶ線による断面図である。
【図５】実施例１に係る巻取機の使用様態を説明する説明図である。
【図６】図１及び図２に示した巻取機を配設したビニルハウスの模式的部分側断面図である。
【図７】実施例２に係る巻取機の要部構成を示す部分斜視図である。
【図８】実施例３に係る巻取機の内部構造を示す斜視図である。
【図９】図８に示した巻取機の側断面図である。
【図１０】図８に示した巻取機の側断面図である。
【図１１】図９に示した巻取機のＸ−Ｘ線による断面図である。
【図１２】図９に示した巻取機のＸＩ−ＸＩ線による断面図である。
【図１３】従来の巻取機の使用様態を説明する説明図である。
【符号の説明】
【００９７】
１      巻取機
３      巻取機本体
５      回転入力軸
６      ヒンジ部（支持手段）
７      回転出力軸
８      連結ピン
３１      第１傘歯車
３２      第２傘歯車
３３      基台
４０      中間軸（回転軸）
４２      第２軸
４３      一方向クラッチ
４９      操作ロッド
５４      ヘッド部
５６      ストッパ部材
６１      第１支持部
６２      第２支持部
６３      枢軸部
６４      長孔
６９      第３支持部
【図１】
2006321655.tif 000003
【図２】
2006321655.tif 000004
【図３】
2006321655.tif 000005
【図４】
2006321655.tif 000006
【図５】
2006321655.tif 000007
【図６】
2006321655.tif 000008
【図７】
2006321655.tif 000009
【図８】
2006321655.tif 000010
【図９】
2006321655.tif 000011
【図１０】
2006321655.tif 000012
【図１１】
2006321655.tif 000013
【図１２】
2006321655.tif 000014
【図１３】
2006321655.tif 000015